(57)【要約】【課題】ファイルの再生回数などを記憶し、再生回数が多いファイルをランダム再生の際に再生頻度を上げてランダム再生を行える情報再生装置を提供する。【解決手段】ランダム再生操作が検知されたとき、フラッシュＲＯＭに記憶された再生回数などで設定された重み付け度の高いファイルから順にランダム再生の出現頻度が高く設定される。即ち、再生リストに表示されている複数のファイル名に対応する重み付け度がフラッシュＲＯＭからそれぞれ読み出され、重み付け度の高いファイルから順にランダム再生の出現頻度が高く設定される。出現頻度を設定することにより、重み付け度の高いファイルほど再生される確率が高くなるので、出現頻度に従ってファイルがＨＤから選択されてランダム再生される。これにより、ユーザが好むファイルを重点的に再生することができる。【選択図】図５
2008293621.tif 000002
【特許請求の範囲】
【請求項１】
記録媒体に記録された複数のファイルをランダム再生することも可能な情報再生装置において、
記録媒体に記録された複数のファイルのうち、ユーザ操作により選択されたファイルの再生が開始される度に、当該ファイルのファイル名に対応させて再生回数をメモリに記憶させる再生回数記憶手段と、
再生途中で当該ファイルの再生が結果的に中止になるようなユーザ操作がされたか否かを判定するユーザ操作判定手段と、
前記再生途中で当該ファイルの再生が結果的に中止になるようなユーザ操作がされたと判定されたとき、その操作履歴情報を前記メモリに記憶させる操作履歴情報記憶手段と、
前記再生途中で当該ファイルの再生が結果的に中止になるようなユーザ操作がされてないと判定されている状態で、当該ファイルの再生が最後まで終了したとき、当該ファイルが最後まで再生したことを示す再生終了情報を前記メモリに記憶させる再生終了情報記憶手段と、
前記メモリに記憶された再生回数と操作履歴情報および／または再生終了情報とに基づいて当該ファイルのランダム再生の出現頻度に関連する重み付けを当該ファイルに対して行う重み付け処理手段と、
前記重み付けの度合を示す重み付け度を当該ファイル名に対応させて前記メモリに記憶させる重み付け情報記憶手段と、
ランダム再生の操作がされたことを検知したとき、前記メモリに記憶された重み付け度の高いファイルから順にランダム再生の出現頻度を高く設定するランダム再生出現頻度設定手段と、
前記ランダム再生出現頻度設定手段により設定された出現頻度に従って記録媒体からファイルをランダム再生させるランダム再生手段と、を有するシステムコントローラを備えたことを特徴とする情報再生装置。
【請求項２】
前記再生途中で当該ファイルの再生が結果的に中止になるようなユーザ操作とは、スキップ操作または停止操作であることを特徴とする請求項１に記載の情報再生装置。
【請求項３】
前記システムコントローラは、逆ランダム再生の操作がされたことを検知したとき、前記メモリに記憶された重み付けの度合が示す重み付け度の低いファイルから順にランダム再生の出現頻度を高く設定する逆ランダム再生出現頻度設定手段と、前記逆ランダム再生出現頻度設定手段により設定された出現頻度に従って記録媒体からファイルをランダム再生させる逆ランダム再生手段と、を有することを特徴とする請求項１に記載の情報再生装置。
【発明の詳細な説明】
【技術分野】
【０００１】
本発明は、記録媒体に記録された複数のファイルをランダム再生することも可能な情報再生装置に関する。
【背景技術】
【０００２】
近年、ハードディスク、光ディスク、フラッシュＲＯＭなどの記録媒体には、ＭＰ３（ＭＰＥＧ  Ａｕｄｉｏ  Ｌａｙｅｒ−３）フォーマットや、ＡＴＲＡＣ（Ａｄａｐｔｉｖｅ  Ｔｒａｎｓｆｏｒｍ  Ａｃｏｕｓｔｉｃ  Ｃｏｄｉｎｇ）フォーマットの音楽データを記録させている。
【０００３】
ハードディスクに対して情報を記録／再生するハードディスクレコーダ、ＤＶＤやＣＤなどの光ディスクに対して情報を記録／再生するＤＶＤレコーダ、フラッシュＲＯＭに対して情報を記録／再生するメモリレコーダなどが普及しており、これらの装置により前記のようなフォーマットの音楽データを記録したり再生したりすることができる。また、再生専用の装置として、ＤＶＤやＣＤなどの光ディスクに記録された情報を再生するＤＶＤプレイヤや、ＣＤに記録された情報を再生するＣＤプレイヤも普及している。なお、ハードディスクレコーダ、ＤＶＤレコーダ、およびメモリレコーダは、再生動作のみならず記録動作も可能であるが、本件で注目すべき点は、ランダム再生機能であり、再生部を備えた装置であれば良いので、それらの装置を情報再生装置と呼ぶことにする。また、ＤＶＤプレイヤおよびＣＤプレイヤも、もちろん情報再生装置と呼ぶことにする。
【０００４】
このような情報再生装置の登場によって、音楽を聴くスタイルにも変化が生じている。例えば、音楽ＣＤをＣＤプレイヤにセットし、音楽を聴くというスタイルであったものが、予め作成した、例えば、アルバム毎、アーティスト毎、ジャンル毎などのように曲をカテゴリ分けする再生リストを指定し、再生リストに登録している曲を聴くというスタイルが一般的になっている。また、そのような再生リストに登録されている曲を先頭から順に再生するのではなく、ランダムに再生することも行われている。これにより、ユーザは、再生リストに登録されている曲を様々な順番で連続的に再生させることができる。
【特許文献１】特開２００５−２２２５７７号公報
【特許文献２】特開２００７−５９０３０号公報
【特許文献３】特開２００２−１５０６６４号公報
【発明の開示】
【発明が解決しようとする課題】
【０００５】
しかしながら、ランダムに曲を再生する場合、当然、再生する曲をユーザ自身が指定するものではないので、ユーザのそのときの気分に合わない曲が再生されることがある。この事をなるべく防止することができるように、ユーザ自身が本当に気に入っている曲のみを再生リストに登録しておき、その再生リストに登録されている曲のランダム再生を指示するようにすることもできるが、この場合、再生リストに登録している曲の個数が比較的に少ないときには、直ぐに再生リストに登録している全ての曲の再生が終了してしまい、次の再生リストを指定する必要がある。
【０００６】
反対に、再生リストを指定する手間を省くことができるように、再生リストに登録する曲をあまり多くし過ぎると、記録媒体に記録されている曲全体をランダム再生の対象とする場合と同様に、当然、ユーザの気分に合わない曲が再生される確率が高くなる。
【０００７】
要するに、曲を絞り込んで１つの再生リストを作成した場合、ユーザの気分に合わない曲が再生されるのを防ぐことができる一方、次の再生リストを指定するという手間が生じ、反対に、多くの曲を登録する１つの再生リストを作成した場合、次の再生リストを指定するという手間を省くことができる一方、ユーザの気分に合わない曲が再生される可能性が高くなる。
【０００８】
そこで、特許文献１の従来技術では、ユーザ選択のプレイリスト（再生リストに相当）に重みを付け、その重みに従ってプレイリストに登録されている曲をランダム再生するようにしている。しかし、この従来技術は、ランダム再生する曲をユーザがプレイリストに登録する操作を行わなければならないので、操作が面倒である。
【０００９】
また、特許文献２の従来技術では、音楽データ毎の再生時間から再生率を算出してユーザの好みに応じた格付けを行い、再生の優先度を設定するようにしている。しかし、この従来技術では、音楽データ毎の再生時間から再生率を算出しているが、例えば、再生時間が３分の音楽と６分の音楽の場合、３分の音楽を再生しているときに、再生時間が２分の所で再生を停止させると、再生率が２／３となり、一方、６分の音楽を再生しているときに、再生時間が４分の所で再生を停止させると、再生率が４／６＝２／３となる。この結果によると、３分の音楽を再生しているときに、再生時間が２分の所で再生を停止させた場合と、６分の音楽を再生しているときに、再生時間が４分の所で再生を停止させた場合とでは、再生率が同じ２／３となるが、ユーザは、６分の音楽の再生を４分で停止させた場合と、３分の音楽の再生を２分で停止させた場合とは、音楽に関する関心度も異なり、４分で停止させた音楽の方が、２分で停止させた音楽に比べて、好む傾向がある。したがって、この従来技術では、音楽データ毎の再生時間から再生率を算出して、再生の優先度を設定した場合は、必ずしもユーザ好みの音楽をランダム再生できるとは限らず、また、再生回数が多い音楽の方がユーザ好みであると言うことが一般的に言えるが、再生回数については考慮されていないので、必ずしもユーザ好みの音楽を再生できるとは限らない。
【００１０】
なお、特許文献３の従来技術では、楽曲毎に再生した回数を記憶しておき、その回数をユーザの嗜好を示すお気に入り度として自動的に収集するものであり、お気に入り度に基づいて検索を行ったり、お気に入り度が上位の樂曲から例えば７位まで再生の対象としたりするものであるが、お気に入り度に応じて再生頻度を設定して、ユーザが好む樂曲の出現頻度を上げてランダム再生を行うものではない。
【００１１】
本発明は、上記のような課題を解決するためになされたもので、ファイルの再生回数などを記憶し、再生回数が多いファイルをランダム再生の際に再生頻度を上げてランダム再生を行うことができる情報再生装置を提供することを目的とする。
【課題を解決するための手段】
【００１２】
上記目的を達成するために、請求項１の発明は、記録媒体に記録された複数のファイルをランダム再生することも可能な情報再生装置において、記録媒体に記録された複数のファイルのうち、ユーザ操作により選択されたファイルの再生が開始される度に、当該ファイルのファイル名に対応させて再生回数をメモリに記憶させる再生回数記憶手段と、再生途中で当該ファイルの再生が結果的に中止になるようなユーザ操作がされたか否かを判定するユーザ操作判定手段と、前記再生途中で当該ファイルの再生が結果的に中止になるようなユーザ操作がされたと判定されたとき、その操作履歴情報を前記メモリに記憶させる操作履歴情報記憶手段と、前記再生途中で当該ファイルの再生が結果的に中止になるようなユーザ操作がされてないと判定されている状態で、当該ファイルの再生が最後まで終了したとき、当該ファイルが最後まで再生したことを示す再生終了情報を前記メモリに記憶させる再生終了情報記憶手段と、前記メモリに記憶された再生回数と操作履歴情報および／または再生終了情報とに基づいて当該ファイルのランダム再生の出現頻度に関連する重み付けを当該ファイルに対して行う重み付け処理手段と、前記重み付けの度合を示す重み付け度を当該ファイル名に対応させて前記メモリに記憶させる重み付け情報記憶手段と、ランダム再生の操作がされたことを検知したとき、前記メモリに記憶された重み付け度の高いファイルから順にランダム再生の出現頻度を高く設定するランダム再生出現頻度設定手段と、前記ランダム再生出現頻度設定手段により設定された出現頻度に従って記録媒体からファイルをランダム再生させるランダム再生手段と、を有するシステムコントローラを備えたことを特徴とする情報再生装置を提供する。
【００１３】
この構成においては、記録媒体に記録された複数のファイルのうち、ユーザ操作により選択されたファイルの再生が開始される度に、当該ファイルのファイル名に対応させて再生回数がメモリに記憶され、再生途中で当該ファイルの再生が結果的に中止になるようなユーザ操作がされたと判定されたとき、その操作履歴情報が前記メモリに記憶される。前記再生途中で当該ファイルの再生が結果的に中止になるようなユーザ操作がされてないと判定されている状態で、当該ファイルの再生が最後まで終了したとき、再生終了情報が前記メモリに記憶される。
【００１４】
そして、前記メモリに記憶された再生回数と操作履歴情報および／または再生終了情報とに基づいて当該ファイルのランダム再生の出現頻度に関連する重み付けが当該ファイルに対して行われ、前記重み付けの度合を示す重み付け度が当該ファイル名に対応させて前記メモリに記憶される。ランダム再生の操作がされたことが検知されたとき、前記メモリに記憶された重み付け度の高いファイルから順にランダム再生の出現頻度が高く設定される。出現頻度に従って記録媒体からファイルがランダム再生される。
【００１５】
この構成によれば、ファイルの再生回数などを記憶し、再生回数が多いファイルをランダム再生の際に再生頻度を上げてランダム再生を行うことができるようになり、これにより、ユーザが好むと思われる再生頻度の高いファイルをランダム再生し易くなり、ユーザ好みのファイルの再生を楽しむことができる。
【００１６】
請求項２の発明では、請求項１の発明において、再生途中で当該ファイルの再生が結果的に中止になるようなユーザ操作とは、スキップ操作または停止操作であるので、スキップ操作または停止操作により当該ファイルの再生が停止となり、当該ファイルは最後まで再生されなかったものとして扱われる。
【００１７】
請求項３の発明では、請求項１の発明において、前記システムコントローラは、逆ランダム再生の操作がされたことを検知したとき、前記メモリに記憶された重み付けの度合が示す重み付け度の低いファイルから順にランダム再生の出現頻度を高く設定する逆ランダム再生出現頻度設定手段と、前記逆ランダム再生出現頻度設定手段により設定された出現頻度に従って記録媒体からファイルをランダム再生させる逆ランダム再生手段と、を有することを特徴とする。
【００１８】
この構成においては、逆ランダム再生の操作がされたことを検知したとき、メモリに記憶された重み付けの度合が示す重み付け度の低いファイルから順にランダム再生の出現頻度が高く設定される。そして、逆ランダム再生出現頻度設定手段により設定された出現頻度に従って記録媒体からファイルがランダム再生される。
【００１９】
この構成によれば、普段あまり再生しないファイルを重点的に再生することができ、ユーザは趣を変えて楽しむことが可能になる。
【発明の効果】
【００２０】
以上のように本発明によれば、ファイルの再生回数などを記憶し、再生回数が多いファイルをランダム再生の際に再生頻度を上げてランダム再生を行うことができるようになり、これにより、ユーザが好むと思われる再生頻度の高いファイルをランダム再生し易くなり、ユーザ好みのファイルの再生を楽しむことができる。
【発明を実施するための最良の形態】
【００２１】
以下、添付図面を参照しつつ、本発明の実施の形態について説明する。図１は本発明の一実施形態に係る情報再生装置としての複合型記録再生装置の構成を示すブロック図である。ここでは、情報再生装置としては、ハードディスク装置（ハードディスクレコーダ）と光ディスク装置（ＤＶＤレコーダ）とが組み込まれた複合型記録再生装置について説明するが、本実施形態の特徴とするランダム再生機能は、複合型記録再生装置に限らず、単体のハードディスク装置や光ディスク装置（ＤＶＤレコーダ、ＤＶＤプレイヤ、ＣＤプレイヤ）に設けても、同様な効果を得ることができる。また、情報再生装置としては、ファイルを記録する記録媒体としてフラッシュＲＯＭを備えたレコーダやプレイヤでも良い。
【００２２】
図１において、複合型記録再生装置１は、ＤＶＤやＣＤなどの光ディスク１５に対して情報の記録／再生を行う光ディスク装置２と、ＨＤ（ハードディスク）１４に対して情報の記録／再生を行うＨＤＤ（ハードディスクドライブ）であるハードディスク装置３と、図示しないアンテナからのアナログのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共に、システムコントローラ１０の動作に必要なプログラムやデータ、あるいは後述する操作履歴情報、再生終了情報、重み付け度などを記憶するフラッシュＲＯＭ６と、システムコントローラ１０の動作に必要なデータを一時的に記憶するＲＡＭ１６とを備えている。
【００２３】
また、この複合型記録再生装置１は、デコーダ５で復号された映像信号をテレビジョン受像機１３のディスプレイ装置１３１で表示可能な映像信号に変換する映像出力部７と、再生リスト、番組表、広告、番組名、番組内容などをテレビジョン受像機１３のディスプレイ装置１３１に表示させるためのＯＳＤ（オン・スクリーン・ディスプレイ）部１２と、デコーダ５で復号された音声信号をテレビジョン受像機１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する図示しないＣＰＵなどで構成される前記システムコントローラ１０とを備えている。
【００２４】
システムコントローラ１０は、記録媒体（ＨＤ１４または光ディスク１５）に記録された複数のファイルのうち、ユーザ操作により選択されたファイルの再生が開始される度に、当該ファイルのファイル名に対応させて再生回数をフラッシュＲＯＭ６に記憶させる再生回数記憶手段と、再生途中で当該ファイルの再生が結果的に中止になるようなユーザ操作がされたか否かを判定するユーザ操作判定手段と、前記再生途中で当該ファイルの再生が結果的に中止になるようなユーザ操作がされたと判定されたとき、その操作履歴情報をフラッシュＲＯＭ６に記憶させる操作履歴情報記憶手段と、前記再生途中で当該ファイルの再生が結果的に中止になるようなユーザ操作がされてないと判定されている状態で、当該ファイルの再生が最後まで終了したとき、当該ファイルが最後まで再生したことを示す再生終了情報をフラッシュＲＯＭ６に記憶させる再生終了情報記憶手段と、フラッシュＲＯＭ６に記憶された再生回数と操作履歴情報および／または再生終了情報とに基づいて当該ファイルのランダム再生の出現頻度に関連する重み付けを当該ファイルに対して行う重み付け処理手段と、前記重み付けの度合を示す重み付け度を当該ファイル名に対応させてフラッシュＲＯＭ６に記憶させる重み付け情報記憶手段と、ランダム再生の操作がされたことを検知したとき、フラッシュＲＯＭ６に記憶された重み付け度の高いファイルから順にランダム再生の出現頻度を高く設定するランダム再生出現頻度設定手段と、前記ランダム再生出現頻度設定手段により設定された出現頻度に従って記録媒体からファイルをランダム再生させるランダム再生手段と、逆ランダム再生の操作がされたことを検知したとき、フラッシュＲＯＭ６に記憶された重み付けの度合が示す重み付け度の低いファイルから順にランダム再生の出現頻度を高く設定する逆ランダム再生出現頻度設定手段と、前記逆ランダム再生出現頻度設定手段により設定された出現頻度に従って記録媒体からファイルをランダム再生させる逆ランダム再生手段とを有する。
【００２５】
図２は本実施形態においてリモコンのキー配置の一例を示す図である。図２において、リモコン１１の操作パネル２００には、ＴＶ電源キー２１１、入力切換キー２１２、レコーダ電源キー２１３、音量キー２１４、複数の数字キー２１５、再生リストキー２１６、機能一覧キー２１７、上方向キー２１８、下方向キー２１９、左方向キー２２０、右方向キー２２１、決定キー２２２、メニューキー２２３、記録キー２２４、一時停止キー２２５、早戻しキー２２６、停止キー２２７、再生キー２２８、早送りキー２２９、スキップキー２３０、ＨＤＤモード切換キー２３１、ＤＶＤモード切換キー２３２などが配置されている。なお、ここでのキーの配置および個数は一例であるので、これに限ることはない。
【００２６】
図３は本実施形態において再生に関する処理を説明するためのフローチャートである。このフローチャートおよび図１、図２を参照して再生に関する処理について説明する。
【００２７】
複合型記録再生装置１に電源が投入されて、複合型記録再生装置１が立ち上がった後、複合型記録再生装置１は、ＨＤＤモードに設定されているか、ＤＶＤモードに設定されているかを判定する（ステップＡ１，Ａ２）。ここでは、ＨＤ１４のファイルを再生したいため、リモコン１１のＨＤＤモード切換キー２３１が操作され、複合型記録再生装置１がＨＤＤモードに設定されているとして説明する。
【００２８】
次に、リモコン１１の再生リストキー２１６が操作されると、システムコントローラ１０は、再生リストをディスプレイ装置１３１に表示させるための再生リスト表示操作がされたことを検知し（ステップＡ３）、ＨＤ１４から再生リストのデータを読み出して、ＯＳＤ部１２でＯＳＤ処理を行い、映像出力部７を介してテレビジョン受像機１３のディスプレイ装置１３１に再生リストの映像信号を供給する。これにより、ディスプレイ装置１３１には再生リストが表示される（ステップＡ４）。
【００２９】
そして、ユーザが、その再生リストから再生したいファイルをリモコン１１の上方向キー２１８、下方向キー２１９、左方向キー２２０、右方向キー２２１などの操作により選択すると、システムコントローラ１０は、所望のファイルが選択されたことを検知し（ステップＡ５）、この後、再生キー２２８または決定キー２２２の操作により、再生操作がされたことを検知すると（ステップＡ６）、ハードディスク装置３を再生動作させ、ＨＤ１４から前記選択されたファイルの再生を開始させる（ステップＡ７）。この再生が開始したとき、システムコントローラ１０の再生回数記憶手段は、当該ファイルのファイル名に対応させて再生回数をフラッシュＲＯＭ６に記憶させる。
【００３０】
そして、この再生途中で当該ファイルの再生が結果的に中止になるようなユーザ操作であるリモコン１１のスキップキー２３０が操作されると、システムコントローラ１０は、スキップ操作がされたことを検知し（ステップＡ８）、当該ファイルから別のファイルにスキップを開始させ（ステップＡ９）、このスキップが終了すると（ステップＡ１０）、ステップＡ７の処理に戻り、スキップ先の別のファイルに対する再生を開始させる。前記スキップキー２３０が操作されたとき、システムコントローラ１０の操作履歴情報記憶手段は、そのスキップ操作を示す操作履歴情報をフラッシュＲＯＭ６に記憶させる。
【００３１】
前記スキップ操作がされず、再生途中でリモコン１１の停止キー２２７が操作されると、システムコントローラ１０は、再生途中で停止操作がされたことを検知し（ステップＡ１１）、これにより、ハードディスク装置３を再生停止動作させ、当該ファイルの再生を途中で終了させる。前記停止キー２２７が操作されたとき、システムコントローラ１０の操作履歴情報記憶手段は、その停止操作を示す操作履歴情報をフラッシュＲＯＭ６に記憶させる。
【００３２】
当該ファイルの再生途中で、スキップ操作や停止操作がされず、当該ファイルの再生が最後まで終了すると（ステップＡ１２）、当該ファイルの再生処理は終了する。当該ファイルの再生が最後まで終了したとき、システムコントローラ１０の再生終了情報記憶手段は、当該ファイルが最後まで再生したことを示す再生終了情報をフラッシュＲＯＭ６に記憶させる。
【００３３】
図４は本実施形態においてファイルのランダム再生の際に必要な重み付けをファイルに対して行うための処理を説明するためのフローチャートである。このフローチャートおよび図１〜図３を参照してファイルのランダム再生の際に必要な重み付けをファイルに対して行うための処理について説明する。図４に示すフローチャートにおいて、図３に示すフローチャートのステップに相当するステップには、同一の符号を付している。
【００３４】
図４に示すフローチャートで説明したように、例えば、ＨＤ１４に記録された複数のファイルのうち、ユーザによるリモコン１１の操作により選択されたファイルの再生が開始されると（ステップＡ７）、システムコントローラ１０の再生回数記憶手段は、当該ファイルのファイル名に対応させて再生回数をフラッシュＲＯＭ６に記憶させる（ステップＢ１）。ここで、最初に再生されるファイルのファイル名を例えばＦ１として説明する。したがって、フラッシュＲＯＭ６には、ファイル名Ｆ１に対応させて再生回数が記憶される。
【００３５】
そして、システムコントローラ１０のユーザ操作判定手段は、再生途中で当該ファイルの再生が結果的に中止になるようなユーザ操作であるスキップ操作がされたか否かを判定する（ステップＡ８）。前記再生途中でファイル名Ｆ１のファイルの再生が結果的に中止になるようなユーザ操作がされたと判定されたとき、システムコントローラ１０の操作履歴情報記憶手段は、スキップ操作がされたことを示す操作履歴情報をフラッシュＲＯＭ６に記憶させる（ステップＢ２）。
【００３６】
次に、システムコントローラ１０の重み付け処理手段は、フラッシュＲＯＭ６に記憶された再生回数とスキップ操作に関する操作履歴情報とに基づいてファイル名Ｆ１のファイルに対するランダム再生の出現頻度に関連する重み付けをファイル名Ｆ１のファイルに対して行う（ステップＢ４）。
【００３７】
例えば、同じファイルの再生回数をＸとし、或るファイルが最後まで再生された場合には、そのファイルに対して行う重み付けの度合である重み付け度を「３．Ｘ」に、そのファイルの再生途中で停止操作がされた場合には、重み付け度を「２．Ｘ」に、そのファイルの再生途中でスキップ操作された場合には、重み付け度を「１．Ｘ」に、それぞれ設定すると仮定すると、前記ファイル名Ｆ１のファイルは、再生途中でスキップ操作されたので、その重み付け度は「１．Ｘ」に設定される。
【００３８】
この後、システムコントローラ１０の重み付け処理手段は、ファイル名Ｆ１のファイルに対する重み付け度「１．Ｘ」を、ファイル名Ｆ１に対応させてフラッシュＲＯＭ６に記憶させる（ステップＢ５）。但し、Ｘは、再生回数であるので、再生回数が１回目であれば、ファイル名Ｆ１のファイルに対する重み付け度は「１．１」、再生回数が２回目であれば、ファイル名Ｆ１のファイルに対する重み付け度は「１．２」、再生回数が３回目であれば、ファイル名Ｆ１のファイルに対する重み付け度は「１．３」と言うように、再生回数が多くなれば、重み付け度も高くなっていく。
【００３９】
ここで、次に再生されるファイルのファイル名を例えばＦ２として説明する。ＨＤ１４に記録された複数のファイルのうち、ユーザによるリモコン１１の操作により選択されたファイル名Ｆ２のファイルの再生が開始されると（ステップＡ７）、システムコントローラ１０の再生回数記憶手段は、ファイル名Ｆ２に対応させて再生回数をフラッシュＲＯＭ６に記憶させる（ステップＢ１）。
【００４０】
そして、システムコントローラ１０のユーザ操作判定手段は、再生途中で当該ファイルの再生が結果的に中止になるようなユーザ操作である停止操作がされたか否かを判定する（ステップＡ１１）。前記再生途中でファイル名Ｆ２のファイルの再生が結果的に中止になるようなユーザ操作がされたと判定されたとき、システムコントローラ１０の操作履歴情報記憶手段は、停止操作がされたことを示す操作履歴情報をフラッシュＲＯＭ６に記憶させる（ステップＢ２）。
【００４１】
次に、システムコントローラ１０の重み付け処理手段は、フラッシュＲＯＭ６に記憶された再生回数と停止操作に関する操作履歴情報とに基づいてファイル名Ｆ２のファイルに対するランダム再生の出現頻度に関連する重み付けをファイル名Ｆ２のファイルに対して行う（ステップＢ４）。この後、システムコントローラ１０の重み付け処理手段は、ファイル名Ｆ２のファイルに対する重み付け度「２．Ｘ」を、ファイル名Ｆ２に対応させてフラッシュＲＯＭ６に記憶させる（ステップＢ５）。但し、Ｘは、再生回数であるので、再生回数が１回目であれば、ファイル名Ｆ２のファイルに対する重み付け度は「２．１」、再生回数が２回目であれば、ファイル名Ｆ２のファイルに対する重み付け度は「２．２」、再生回数が３回目であれば、ファイル名Ｆ２のファイルに対する重み付け度は「２．３」と言うように、再生回数が多くなれば、重み付け度も高くなって行く。
【００４２】
ここで、次に再生されるファイルのファイル名を例えばＦ３として説明する。ＨＤ１４に記録された複数のファイルのうち、ユーザによるリモコン１１の操作により選択されたファイル名Ｆ３のファイルの再生が開始されると（ステップＡ７）、システムコントローラ１０の再生回数記憶手段は、ファイル名Ｆ３に対応させて再生回数をフラッシュＲＯＭ６に記憶させる（ステップＢ１）。
【００４３】
そして、再生途中でファイル名Ｆ３のファイルの再生が結果的に中止になるようなユーザ操作がされてないと判定されている状態で、ファイル名Ｆ３のファイルの再生が最後まで終了したとき（ステップＡ１２）、システムコントローラ１０の再生終了情報記憶手段は、そのファイル名Ｆ３のファイルが最後まで再生したことを示す再生終了情報をフラッシュＲＯＭ６に記憶させる（ステップＢ３）。
【００４４】
次に、システムコントローラ１０の重み付け処理手段は、フラッシュＲＯＭ６に記憶された再生回数と再生終了情報とに基づいて、ファイル名Ｆ３のファイルに対するランダム再生の出現頻度に関連する重み付けをファイル名Ｆ３のファイルに対して行う（ステップＢ４）。この後、システムコントローラ１０の重み付け処理手段は、ファイル名Ｆ３のファイルに対する重み付け度「３．Ｘ」を、ファイル名Ｆ３に対応させてフラッシュＲＯＭ６に記憶させる（ステップＢ５）。但し、Ｘは、再生回数であるので、再生回数が１回目であれば、ファイル名Ｆ３のファイルに対する重み付け度は「３．１」、再生回数が２回目であれば、ファイル名Ｆ３のファイルに対する重み付け度は「３．２」、再生回数が３回目であれば、ファイル名Ｆ２のファイルに対する重み付け度は「３．３」と言うように、再生回数が多くなれば、重み付け度も高くなって行く。
【００４５】
図５は本実施形態においてランダム再生の処理を説明するためのフローチャートである。このフローチャートおよび図１、図２を参照してランダム再生の処理について説明する。
【００４６】
ここでは、ＨＤ１４のファイルを再生したいため、リモコン１１のＨＤＤモード切換キー２３１が操作され、複合型記録再生装置１がＨＤＤモードに設定されているとして説明する。
【００４７】
リモコン１１の再生リストキー２１６が操作されると、システムコントローラ１０は、再生リストをディスプレイ装置１３１に表示させるための再生リスト表示操作がされたことを検知し、ＨＤ１４から再生リストのデータを読み出して、ＯＳＤ部１２でＯＳＤ処理を行い、映像出力部７を介してテレビジョン受像機１３のディスプレイ装置１３１に再生リストの映像信号を供給する。これにより、ディスプレイ装置１３１には再生リストが表示される。
【００４８】
そして、その再生リストに付随して表示されている項目「ランダム再生」をリモコン１１の操作により選択されると、システムコントローラ１０のランダム再生出現頻度設定手段は、ランダム再生操作がされたことを検知したとき（ステップＣ１）、フラッシュＲＯＭ６に記憶された重み付け度の高いファイルから順にランダム再生の出現頻度を高く設定する（ステップＣ２）。即ち、ランダム再生出現頻度設定手段は、再生リストに表示されている複数のファイル名に対応する重み付け度をフラッシュＲＯＭ６からそれぞれ読み出し、重み付け度の高いファイルから順にランダム再生の出現頻度を高く設定する。
【００４９】
このように出現頻度を設定することにより、重み付け度の高いファイルほど再生される確率が高くなるので、システムコントローラ１０のランダム再生手段は、ハードディスク装置３をランダム再生動作させ、出現頻度に従ってファイルをＨＤ１４から選択し、ランダム再生させる（ステップＣ３）。そして、リモコン１１の停止キー２２７が操作されると、システムコントローラ１０は、停止操作がされたことを検知し（ステップＣ４）、このランダム再生処理を終了させる。
【００５０】
以上説明したランダム再生を行うことによって、ユーザが好むファイルを重点的に再生することができ、ユーザ好みのファイルの再生が可能になる。
【００５１】
図６は本実施形態において逆ランダム再生の処理を説明するためのフローチャートである。このフローチャートおよび図１、図２を参照して逆ランダム再生の処理について説明する。
【００５２】
ここでは、ＨＤ１４のファイルを再生したいため、リモコン１１のＨＤＤモード切換キー２３１が操作され、複合型記録再生装置１がＨＤＤモードに設定されているとして説明する。
【００５３】
リモコン１１の再生リストキー２１６が操作されると、システムコントローラ１０は、再生リストをディスプレイ装置１３１に表示させるための再生リスト表示操作がされたことを検知し、ＨＤ１４から再生リストのデータを読み出して、ＯＳＤ部１２でＯＳＤ処理を行い、映像出力部７を介してテレビジョン受像機１３のディスプレイ装置１３１に再生リストの映像信号を供給する。これにより、ディスプレイ装置１３１には再生リストが表示される。
【００５４】
そして、その再生リストに付随して表示されている項目「逆ランダム再生」をリモコン１１の操作により選択されると、システムコントローラ１０の逆ランダム再生出現頻度設定手段は、逆ランダム再生操作がされたことを検知したとき（ステップＤ１）、フラッシュＲＯＭ６に記憶された重み付け度の低いファイルから順にランダム再生の出現頻度を高く設定する（ステップＤ２）。即ち、逆ランダム再生出現頻度設定手段は、再生リストに表示されている複数のファイル名に対応する重み付け度をフラッシュＲＯＭ６からそれぞれ読み出し、重み付け度の低いファイルから順にランダム再生の出現頻度を高く設定する。
【００５５】
このように出現頻度を設定することにより、重み付け度の低いファイルほど再生される確率が高くなるので、システムコントローラ１０の逆ランダム再生手段は、ハードディスク装置３を逆ランダム再生動作させ、出現頻度に従ってファイルをＨＤ１４から選択し、ランダム再生させる（ステップＤ３）。そして、リモコン１１の停止キー２２７が操作されると、システムコントローラ１０は、停止操作がされたことを検知し（ステップＤ４）、この逆ランダム再生処理を終了させる。
【００５６】
以上説明した逆ランダム再生を行うことによって、普段あまり再生しないファイルを重点的に再生することができ、ユーザは趣を変えて楽しむことが可能になる。
【産業上の利用可能性】
【００５７】
本発明は、ハードディスク装置、光ディスク装置、メモリレコーダなどに利用可能であり、ユーザが好むと思われる再生頻度の高いファイルをランダム再生し易くする。
【図面の簡単な説明】
【００５８】
【図１】本発明の一実施形態に係る情報再生装置としての複合型記録再生装置の構成を示すブロック図である。
【図２】前記実施形態においてリモコンのキー配置の一例を示す図である。
【図３】前記実施形態において再生に関する処理を説明するためのフローチャートである。
【図４】前記実施形態においてファイルのランダム再生の際に必要な重み付けをファイルに対して行うための処理を説明するためのフローチャートである。
【図５】前記実施形態においてランダム再生の処理を説明するためのフローチャートである。
【図６】前記実施形態において逆ランダム再生の処理を説明するためのフローチャートである。
【符号の説明】
【００５９】
１    複合型記録再生装置（情報再生装置）
６    フラッシュＲＯＭ（メモリ）
１０    システムコントローラ
１４    ハードディスク（記録媒体）
１５    光ディスク（記録媒体）
【図１】
2008293621.tif 000003
【図２】
2008293621.tif 000004
【図３】
2008293621.tif 000005
【図４】
2008293621.tif 000006
【図５】
2008293621.tif 000007
【図６】
2008293621.tif 000008